(57)【要約】【課題】  展開、折り畳みが容易でかつ移動が簡単な多目的空間構成体を得る。【解決手段】  展開時には下部梁部材３及び上部梁部材５を直線状に展開固定し、これにより壁部材２Ａ、２Ｂと共に特定目的に利用できる空間を形成する。図の場合は寝室として構成された場合であって、床部材４にマットを敷く等して寝室として利用できる。折り畳み時には上下の梁部材３、５のヒンジ部３ａ、５ａのロックを解除し、上下の梁部材３、５は何れも空間部の内側に水平に屈曲し、かつ床部材４はこの屈曲に対応してヒンジ部４ａを中心として上部に屈曲し、最終的には（Ａ）で示すように当接した壁部材２Ａ、２Ｂにより形成される空間内に全て収納される。因みにテーブル６は上方に跳ね上がりこの空間内に収納される。【選択図】        図１
2010007288.tif 000002
【特許請求の範囲】
【請求項１】
対向する一対の壁部材と、これら壁部材の間に張り渡す上部梁部材と下部梁部材のうち少なくとも下部梁部材を有し、梁部材はヒンジ部を有し、展開時はこの梁部材を直線状に固定することにより梁部材と対向する一対の壁部材とにより所定の目的に利用する空間を形成し、折り畳み時にはこれら梁部材は当接する一対の壁部材により形成された空間内に収納されるよう構成したことを特徴とする空間構成体。
【請求項２】
対向する一対の壁部材の上下に、それぞれ上部梁部材と下部梁部材が張り渡されたことを特徴とする請求項１記載の空間構成体。
【請求項３】
対向する一対の壁部材と下部梁部材のうち、少なくとも対向する一対の壁部材に対して移動手段が設けられていることを特徴とする請求項１又は２記載の空間構成体。
【請求項４】
下部梁部材は対向する一対の壁部材の一側に配置され、かつ上部梁部材は当該対向する一対の壁部材の他の側に配置され、かつ上下両梁部材共に、折り畳み時には空間構成体により形成された空間部の内側に降り曲がるよう構成したことを特徴とする請求項２又は３記載の空間構成体。
【請求項５】
展開時に下部梁部材に当接するよう、床部材が対向する一対の壁部材に対して張り渡され、当該床部材にはヒンジ部が形成され、空間構成体の折り畳み時には床部材はこのヒンジ部を中心として上下の梁部材の屈曲面と直交する面を屈曲面として、上方に屈曲するよう構成したことを特徴とする請求項１乃至４の何れかに記載の空間構成体。
【請求項６】
上部梁部材にはＬＥＤ、蛍光灯等の照明手段が組み込まれていることを特徴とする請求項２乃至５の何れかに記載の空間構成体。
【発明の詳細な説明】
【技術分野】
【０００１】
本発明は折り畳み型の空間構成体であって、特定の目的を持った空間の構成が可能であり、かつこの空間を移動させる事も可能な空間構成体である。
【背景技術】
【０００２】
例えば建築物の所定のフロアに特定の目的を持って空間を形成する部材としては間仕切りがある。具体的にはこの間仕切りにより一体的な空間を例えば、企業であれば応接用の空間、事務処理用の空間とする等である。
しかし間仕切りにより形成される空間は、間仕切り用の仕切部材を床面に対して或いは床面と天井面に対して固定することにより形成されるため、一旦空間が形成されるとこの空間を変更することは容易ではない。
【０００３】
また、間仕切りはあくまでも空間を仕切るだけのものであるため、仕切られた空間に所定の機能を与えるためには、それぞれの空間にその目的に応じた機材、家具等を配置する必要がある。例えば仕切対象が住空間である場合にはキッチン、寝室、居間、リビング等にそれぞれの空間が対応するよう、キッチンに対しては流し台、調理器具等を配置し、寝室にはベッドや衣類を収納する箪笥等の家具を配置する等して各空間をその目的に対応するようセットする必要がある。
【０００４】
上記のような結果、間仕切りをする素材自体は着脱・移動が可能であっても、所定の機材や家具等を設置してしまうと間仕切りにより仕切られた各空間は事実上固定化し、これらの空間の大きや目的を変更することは非常に困難になる。
【０００５】
このような観点から、下記特許文献記載のような提案がなされている。
【特許文献１】特開２００５−２１３７３７
【特許文献２】特開２００３−２３９６５５
【特許文献３】特開２００３−０７４１３８
【特許文献４】特開２０００−０５４４９７
【発明の開示】
【発明が解決しようとする課題】
【０００６】
上記特許文献のうち、特許文献１の発明は重ねて収納された雨戸を引き出すように、収納されていた複数のパネルを順次展開することにより空間を仕切る構成であり、特許文献２の発明はこのパネルに代えてアコーディオンカーテンのような折り畳み式の仕切り材を展開或いは収納することにより特定の空間を仕切ったり、逆に開放して一体化するよう構成されている。しかしこの構成では空間を仕切る部材は予め設定された移動経路に沿って展開或いは収納されるだけであり自由な空間形成はできない。
【０００７】
特許文献３記載の発明はこれに対して連接された複数のパネルにより空間を区間し、例えばこの空間を勉強用の空間等特定の目的に沿った空間として形成し、かつパネル自体にキャスターを設けることにより、この空間を移動させることもできる。しかし例えば勉強用空間として利用するためには、この空間内には机に対応するパネルを水平に差し渡したり、書類等を収納するボックスを設置する等、その目的に対応した備品を設置する必要があるため不使用時の折り畳みが不十分となり、不使用時でもその配置に比較的大きな空間を必要とする。また形成された空間の床面は仕切られる前の元の空間の床面と同じであるため、基本的には床面を特別の目的に使用することはできない。
【０００８】
特許文献４は例えば寝室、キッチン、洗面所等、その使用目的に対応したユニットを形成し、各ユニットを適宜組み合わせて所望の住空間を構成するものである。しかしこの発明では当然のことながら各空間の不使時の収納という概念がなく、また通常の間仕切りと同様、それぞれの目的に対応した空間の組み合わせが一旦形成されると、この構成はほぼ固定化され、空間変更の柔軟性は非常に乏しい。
【課題を解決するための手段】
【０００９】
本発明は上記従来技術の問題点に鑑み構成されたもである。
即ち、本発明は、対向する一対の壁部材と、この一対の壁部材の底部に差し渡し配置された下部梁部材と、当該一対の壁部材の上部に差し渡し配置された上部梁部材とを有し、下部梁部材及び上部梁部材は折り畳み可能に構成され、かつ下部梁部材と壁部材のうち少なくとも一対の壁部材にはキャスター等の移動手段が設けられ、更に要すればこの下部梁部材に支持されるよう折り畳み可能な床部材が設けられていることを特徴とする空間構成体である。
【発明の効果】
【００１０】
空間構成体を展開すると、例えば寝室等特定の目的を持った空間が容易に形成され、かつ不使用時にはこの空間構成体を折り畳むことにより対向する一対の壁部材がほぼ当接し、この一対の壁部材の幅とほぼ等しい小容量とすることができるため、不使用時は室内の壁に密着させておく等とすることにより邪魔にならない。
【００１１】
空間構成体の展開、折り畳みは上下の梁部材（床部材が形成されているときはこの床部材も含めて）これらの部材を展開或いは折り畳むだけであるので、空間構成体の展開、折り畳みは極めて容易であり、一人でかつ短時間にこの空間構成体の展開、折り畳みが可能である。
【００１２】
また、キャスター等の移動手段が設けられているため展開時、折り畳み時のいずれの場合でも空間構成体の移動が可能である。例えば空間構成体により寝室或いは勉強部屋として構成された空間を、この空間が構成された状態で所望の位置に自由に移動することが可能である。
【発明を実施するための最良の形態】
【００１３】
対向する一対の壁部材、壁部材の底部に形成された折り畳み可能な下部梁部材、壁部材の上部に形成された折り畳み可能な上部梁部材を基本構成とし、この基本構成に対してその展開時の空間が所定の目的を達するよう、例えば勉強部屋として使用する場合には折り畳み式の椅子が、空間構成体の折り畳み時に壁部材の内部に掛けられるよう構成したり、寝室として使用する場合には下部梁部材に当接する折り畳み可能な床部材を設け、この床部材にマットレスを配置して寝室として利用したりする。これにより上記基本構成の空間構成体がそのまま、或いは僅かな改造により目的に叶った空間構成となるようにする。
【実施例１】
【００１４】
以下、本発明の実施例を図面を参考に説明する。
図１は空間構成体の折り畳み時と展開時の状態を示し、図２以降は空間構成体の展開状態から折り畳み状態までの各部材、機構の作動状を示している。
【００１５】
先ず主として図１を用いて空間構成体の各部の構成を説明する。
符号１は空間構成体を示し、図中（Ａ）は空間構成体を折り畳んだ状態を、また（Ｂ）はこの空間構成体を展開した状態を示している。なお本実施例で示す空間構成体は、形成された空間を寝室として利用するよう構成されている。
【００１６】
図（Ｂ）において、符号２Ａ、２Ｂは壁部材であって、両壁部材２Ａ、２Ｂは対向位置し、この対向位置する壁部材２Ａ、２Ｂの底部において下部梁部材３が差し渡し配置されている。この下部梁部材３は折り畳み可能に構成するため、その両端が両壁部材２Ａ、２Ｂに対してヒンジ止めされた状態で、両壁部材２Ａ、２Ｂの下部手前側（図の左側）において差し渡し配置されている。符号３ａは下部梁部材３の中央部に形成されたヒンジ部であって、これにより前記壁部材２Ａ、２Ｂに対するヒンジ止めに加えてこの中央部のヒンジ部３ａにより、空間構成体１の折り畳み時に壁部材３全体が空間の内側に「く」の字型に折り畳まれるように構成されている。
【００１７】
符号４は展開時にこの下部梁部材３により支持される床部材であって、両端は壁部材２Ａ、２Ｂに対してヒンジ止めされ、かつ中央にはヒンジ部４ａが形成され、折り畳み時にはこのヒンジ部４ａが上方にせり上がるよう構成されている。なお空間構成体１を例えば勉強部屋として使用する場合には床部材４を形成せず空間構成体１が配置される空間の床面に対して直接椅子を配置するよう構成される。
【００１８】
符号５は上部梁部材である。この上部梁部材５も前記下部梁部材３と同様、壁部材２Ａ、２Ｂの一側に配置されるが、下部梁部材３が空間構成体１の手前側（壁部材２Ａ、２Ｂに対して図の左側）に形成されてるのに対して、空間構成体１の後側（壁部材２Ａ、２Ｂに対して図の右側）に形成され、空間構成体１のしての強度上のバランスを取るようにしている。また下部梁部材３と同様、両端が両壁部材２Ａ、２Ｂに対してヒンジ止めされてる。５ａはこの上部梁部材５の中央に形成されたヒンジ部であり、上部梁部材５は折り畳み時に前記下部梁部材３と同様「く」の字に空間部内側に折り畳まれるよう構成されている。
【００１９】
なお、上部梁部材５に対してはＬＥＤ、蛍光灯等の照明手段を組み込んでおけば寝室としての使い勝手がより良好となる。
符号６は折り畳みテーブルである。この折り畳みテーブル６は図示の構成では壁部材２Ａに対してヒンジ止めされている。折り畳みテーブル６は空間構成体１を折り畳む際に、予め壁部材２Ａ側に倒しておくか、或いはリンクロッド等を介して床部材４の作動とリンクさせ、床部材４が上方にせり上がるのと対応して壁部材２Ａ側にせり上がるよう構成することも可能である。
【００２０】
符号７は棚であり、この棚７は壁部材２Ａに対して固定されている。また棚７の寝室空間部に突出している幅は図（Ａ）に示すように完全に空間構成体１を折り畳んだ時に密着している両壁部材２Ａ、２Ｂで構成される空間内に収納されるようにその値が決められている。また符号８は移動手段としてのキャスターである。
【００２１】
次に空間構成体１の各部の作動状態を説明する。
先ず図２に示す状態は空間構成体１を展開して寝室として利用する状態を示している。  下部梁部材３及び上部梁部材５は直線状に完全に展開して梁としての機能を有し、この状態で対向する壁部材２Ａ、２Ｂは最大限に離間し、これら壁部材２Ａ、２Ｂ、上下の梁部材３及び５により寝室としての空間が形成される。この場合床部材４も水平に完全展開してベッドとしてのスペースが形成される。この場合、下部梁部材３は床部材４を支持するため、床部材４は人が寝ても十分な強度を有している。
【００２２】
図３は図２に示す空間構成体１を折り畳む場合の、折り畳み途中の各部の作動状態を示している。空間構成体１を折り畳む場合には、下部梁部材３のヒンジ部３ａ、上部梁部材５のヒンジ部５ａのロック機構（何れも図示せず）を解除し、この状態で両壁部材２Ａ、２Ｂを近接するよう押し合わせる。符号９はこれら壁部材２Ａ、２Ｂに設けられた把手であり、折り畳み時に利用してもよいが、特に折り畳んだ状態から展開する場合にこの把手９を利用すれば両壁部材の引き離しが容易である。
【００２３】
次に両壁部材２Ａ、２Ｂの押し合わせ動作に対応して下部梁部材３はヒンジ部３ａを中心として空間内部に屈曲するよう動作し〔図（Ｅ）参照〕、この動作に対応して下部梁部材３により支持されていた床部材４はヒンジ部４ａを中心として、下部梁部材３の作動面と直交するよう空間上部に向かってせり上がるように屈曲する。また前述のリンク機構を設けてあれば、床部材４の屈曲動作に対応してテーブル６も壁部材２Ａ側に近接するように持ち上がる〔図（Ｆ）参照〕。なお．部材２Ａ、２Ｂの接近動作および下部梁部材３の屈曲動作はこれら各部材にそれぞれ移動手段としてのキャスター８がとりつけられているため円滑に行われる。
【００２４】
一方上部梁部材５は前記下部梁部材３および床部材４の屈曲動作に対応して、ヒンジ部５ａを中心として空間内部に屈曲する〔図（Ｅ）参照〕。上述した各部の動作が連続して行われることにより最終的に図４に示すにような完全折り畳み状態となる。
【００２５】
図４に示されるように完全折り畳み状態の空間構成体１は対向する壁部材２Ａ及び２Ｂが当接した状態の略直方体の形状となり、かつこの直方体の幅も壁部材２Ａ及び２Ｂの幅を合計しただけの薄いものとなる。また折り畳んだ状態でもキャスター８により自由に移動できるため、この略直方体の形状と移動可能なことにより多数の折り畳み状態の空間構成体１を空間を無駄にすることなく特定の場所に収納することができる。
【００２６】
上記の構成から、空間構成体１の利用方法の一つとして、通常の住居で使用する場合には、折り畳んだ状態で部屋の壁に密着させておいた空間構成体１を、来客を泊めるために例えばリビングルームに展開して客の寝室として利用したり、或いは多数の空間構成体１を収納しておき、例えば多人数を体育館等の広い空間に泊めることもできる。この場合、折り畳んだ状態が略長方形であることは収納の勝手が非常に良く、収納空間を無駄にすることなく多数の空間構成体１を収納しておくことができる。また、キャスター等の移動手段が取り付けられているので、各空間構成体１をその展開場所に容易に運搬することができると共に、展開後も各空間構成体１の配置を適宜アレンジすることも可能である。因みに、当然のことながら空間構成体１の展開は上記で示した図２から図４の動作を逆にして、図４から図２に辿ることにより実施される。
【００２７】
なお、上記の構成では上下の梁部材５、３を有する構成の空間構成体が示されているが、空間構成体が子供用ベッドを構成するもの等、より小型のものでれば上部梁部材５を省略し、下部梁部材３のみでも十分強度を保持することが可能である。この構成において照明機材が必要な場合には、壁部材２Ａ、２Ｂ或いは棚７の下面等に照明機材を取り付けるよう構成するればよい。
【産業上の利用可能性】
【００２８】
以上本発明に係る空間構成体を寝室を構成する場合を例に説明したが、本空間構成体はもとよりこの構成に限るものではなく、勉強部屋その他レストルーム等その目的に対応してその用途を自由に選択することができる。
【００２９】
また本空間構成体は構成された空間に大人の人間が入ることを前提としているが、空間構成体をより小型に形成することより、例えばハンディー型として、旅先での乳幼児の簡易ベッドとして利用する等各種の利用方法が考えられる。
【図面の簡単な説明】
【００３０】
【図１】本発明に係る空間構成体を示し、図（Ａ）は折り畳み状態の空間構成体の斜視図、図（Ｂ）は展開状態の空間構成体の斜視図である。
【図２】空間構成体の完全展開状態を示し、図（Ｃ）は空間構成体の平面図、図（Ｄ）は側面図である。
【図３】空間構成体の折り畳み途中の状態を示し、図（Ｃ）は空間構成体の平面図、（Ｄ）は側面図である。
【図４】空間構成体の完全折り畳みの状態を示し、図（Ｃ）は空間構成体の平面図、（Ｄ）は側面図である。
【符号の説明】
【００３１】
１  空間構成体
２Ａ、２Ｂ  壁部材
３  下部梁部材
３ａ  （下部梁部材の）ヒンジ部        
４  床部材
４ａ  （床部材の）ヒンジ部
５  上部梁部材
５ａ  （情婦梁部材の）ヒンジ部        
６  テーブル
７  棚
８  キャスター
９  把手
【図１】
2010007288.tif 000003
【図２】
2010007288.tif 000004
【図３】
2010007288.tif 000005
【図４】
2010007288.tif 000006